【手続補正書】
【提出日】平成20年7月11日(2008.7.11)
【手続補正１】
【補正対象書類名】特許請求の範囲
【補正対象項目名】全文
【補正方法】変更
【補正の内容】
【特許請求の範囲】
【請求項１】
撮影により得られた画像ファイルを、記録媒体中のフォルダに記録する画像処理装置であって、
次の撮影で得られる画像ファイルの保存先を、予め設定された日時変化が発生していない場合には前記記録媒体中の既存フォルダ、前記予め設定された日時変化が発生した場合には前記記録媒体中に存在しない新規フォルダと決定する保存先決定手段と、
前記次の撮影の指示があった場合、前記保存先が前記新規フォルダであるときは、新規フォルダを前記記録媒体に作成するフォルダ作成手段と、
前記保存先決定手段が決定した保存先に、前記次の撮影の指示に応答して得られた画像ファイルを記録する記録手段とを有し、
前記保存先決定手段が、前記予め設定された日時変化が組み画像の撮影中に発生した場合には、当該組み画像の撮影が終了するまで前記記録媒体中の既存フォルダを前記保存先と決定することを特徴とする画像処理装置。
【請求項２】
前記保存先決定手段が、所定の最終撮影日時と、現在日時とに基づいて前記予め設定された日時変化の発生有無を判定することを特徴とする請求項１記載の画像処理装置。
【請求項３】
前記最終撮影日時は、最後に撮影した画像が組み画像でない場合はその撮影時刻、組み画像の場合はその先頭画像の撮影時刻であることを特徴とする請求項２記載の画像処理装置。
【請求項４】
前記最終撮影日時は、前記記録媒体内に存在する画像ファイルのうち最後に撮影されたものが組み画像でない場合にはその画像の撮影時刻、組み画像の場合はその先頭画像の撮影時刻であることを特徴とする請求項２記載の画像処理装置。
【請求項５】
前記最終撮影日時は、前記画像処理装置が最後に撮影した日時と、前記記録媒体内に存在する画像ファイルのうち最後に撮影されたものの撮影日時のうち、古い方の日時であることを特徴とする請求項２乃至請求項４のいずれか１項に記載の画像処理装置。
【請求項６】
前記組み画像が、連写撮影モード又はブラケット撮影モードで得られる画像であることを特徴とする請求項１乃至請求項５のいずれか１項に記載の画像処理装置。
【請求項７】
撮影により得られた画像ファイルを、記録媒体中のフォルダに記録する画像処理装置の制御方法であって、
次の撮影で得られる画像ファイルの保存先を、予め設定された日時変化が発生していない場合には前記記録媒体中の既存フォルダ、前記予め設定された日時変化が発生した場合には前記記録媒体中に存在しない新規フォルダと決定する保存先決定ステップと、
前記次の撮影の指示があった場合、前記保存先が前記新規フォルダであるときは、新規フォルダを前記記録媒体に作成するフォルダ作成ステップと、
前記保存先決定ステップが決定した保存先に、前記次の撮影の指示に応答して得られた画像ファイルを記録する記録ステップとを有し、
前記保存先決定ステップが、前記予め設定された日時変化が組み画像の撮影中に発生した場合には、当該組み画像の撮影が終了するまで前記記録媒体中の既存フォルダを前記保存先と決定することを特徴とする画像処理装置の制御方法。
【請求項８】
前記保存先決定ステップが、所定の最終撮影日時と、現在日時とに基づいて前記予め設定された日時変化の発生有無を判定することを特徴とする請求項７記載の画像処理装置の制御方法。
【請求項９】
前記最終撮影日時は、最後に撮影した画像が組み画像でない場合はその撮影時刻、組み画像の場合はその先頭画像の撮影時刻であることを特徴とする請求項８記載の画像処理装置の制御方法。
【請求項１０】
前記最終撮影日時は、前記記録媒体内に存在する画像ファイルのうち最後に撮影されたものが組み画像でない場合にはその画像の撮影時刻、組み画像の場合はその先頭画像の撮影時刻であることを特徴とする請求項８記載の画像処理装置の制御方法。
【請求項１１】
前記最終撮影日時は、前記画像処理装置が最後に撮影した日時と、前記記録媒体内に存在する画像ファイルのうち最後に撮影されたものの撮影日時のうち、古い方の日時であることを特徴とする請求項８乃至請求項１０のいずれか１項に記載の画像処理装置の制御方法。
【請求項１２】
前記組み画像が、連写撮影モード又はブラケット撮影モードで得られる画像であることを特徴とする請求項７乃至請求項１１のいずれか１項に記載の画像処理装置の制御方法。
【手続補正２】
【補正対象書類名】明細書
【補正対象項目名】０００７
【補正方法】変更
【補正の内容】
【０００７】
上述の目的は、撮影により得られた画像ファイルを、記録媒体中のフォルダに記録する画像処理装置であって、次の撮影で得られる画像ファイルの保存先を、予め設定された日時変化が発生していない場合には記録媒体中の既存フォルダ、予め設定された日時変化が発生した場合には記録媒体中に存在しない新規フォルダと決定する保存先決定手段と、次の撮影の指示があった場合、保存先が新規フォルダであるときは、新規フォルダを記録媒体に作成するフォルダ作成手段と、保存先決定手段が決定した保存先に、次の撮影の指示に応答して得られた画像ファイルを記録する記録手段とを有し、保存先決定手段が、予め設定された日時変化が組み画像の撮影中に発生した場合には、当組み画像の撮影が終了するまで記録媒体中の既存フォルダを保存先と決定することを特徴とする画像処理装置によって達成される。
【手続補正３】
【補正対象書類名】明細書
【補正対象項目名】０００８
【補正方法】変更
【補正の内容】
【０００８】
また、上述の目的は、撮影により得られた画像ファイルを、記録媒体中のフォルダに記録する画像処理装置の制御方法であって、次の撮影で得られる画像ファイルの保存先を、予め設定された日時変化が発生していない場合には記録媒体中の既存フォルダ、予め設定された日時変化が発生した場合には記録媒体中に存在しない新規フォルダと決定する保存先決定ステップと、次の撮影の指示があった場合、保存先が新規フォルダであるときは、新規フォルダを記録媒体に作成するフォルダ作成ステップと、保存先決定ステップが決定した保存先に、次の撮影の指示に応答して得られた画像ファイルを記録する記録ステップとを有し、保存先決定ステップが、予め設定された日時変化が組み画像の撮影中に発生した場合には、当組み画像の撮影が終了するまで記録媒体中の既存フォルダを保存先と決定することを特徴とする画像処理装置の制御方法によっても達成される。
【手続補正４】
【補正対象書類名】明細書
【補正対象項目名】００２４
【補正方法】変更
【補正の内容】
【００２４】
さらに、表示部５４の表示内容のうち、ＬＥＤ等により表示するものとしては、例えば、合焦表示、撮影準備完了表示、手振れ警告表示、フラッシュ充電表示、フラッシュ充電完了表示、記録媒体書き込み動作表示、マクロ撮影設定通知表示、二次電池充電状態表示、等がある。
【手続補正５】
【補正対象書類名】明細書
【補正対象項目名】００２９
【補正方法】変更
【補正の内容】
【００２９】
第２シャッタースイッチＳＷ２（６４）は、不図示のシャッターボタンの操作完了（全押し）でＯＮとなり、撮像素子１４から読み出した信号をＡ／Ｄ変換器１６、メモリ制御回路２２を介してメモリ３０に画像データとして書き込む露光処理、画像処理回路２０やメモリ制御回路２２での演算を用いた現像処理、メモリ３０から画像データを読み出し、圧縮伸長回路３２で圧縮を行い、記録媒体２００或いは２１０に画像データを書き込む記録処理という一連の処理の動作開始を指示する。
【手続補正６】
【補正対象書類名】明細書
【補正対象項目名】００３８
【補正方法】変更
【補正の内容】
【００３８】
メモリカードやハードディスク等の記録媒体２００及び２１０は、半導体メモリや磁気ディスク等から構成される記録部２０２、２１２と、デジタルカメラ１００とのインターフェース２０４、２１４及びコネクタ２０６、２１６を有している。記録媒体２００及び２１０は、媒体側のコネクタ２０６、２１６とデジタルカメラ１００側のコネクタ９２、９６とを介してデジタルカメラ１００に装着される。コネクタ９２、９６にはインターフェース９０及び９４が接続される。記録媒体２００，２１０の装着有無は、記録媒体着脱検知部９８によって検知される。
【手続補正７】
【補正対象書類名】明細書
【補正対象項目名】００５７
【補正方法】変更
【補正の内容】
【００５７】
そして、Ｓ１２６で、システム制御回路５０は撮影処理を行う。まず、撮像素子１４、Ａ／Ｄ変換器１６、画像処理回路２０、メモリ制御回路２２を介して、或いはＡ／Ｄ変換器から直接メモリ制御回路２２を介して、メモリ３０に、撮影した画像データを書き込む（露光処理）。そして、メモリ制御回路２２そして必要に応じて画像処理回路２０を用いて、メモリ３０に書き込まれた画像データを読み出して各種処理を行う現像処理からなる撮影処理を実行する（Ｓ１２６）。この撮影処理の詳細は図６を用いて後述する。
撮影処理を終えたならば、撮影画像を画像表示部２８に表示するクイックレビュー処理を行う（Ｓ１２７）。
【手続補正８】
【補正対象書類名】明細書
【補正対象項目名】００７９
【補正方法】変更
【補正の内容】
【００７９】
（撮影処理）
図６は、図３のＳ１２６における撮影処理の詳細を説明するフローチャートである。
システム制御回路５０は、その内部メモリ或いはメモリ５２に記憶される測光データに従い、露光制御部４０によって、絞り機能を有するシャッター１２を絞り値に応じて開放して撮像素子１４の露光を開始する（Ｓ６０１、Ｓ６０２）。
フラッシュフラグによりフラッシュ４８の発光が必要か否かを判断し（Ｓ６０３）、必要な場合はフラッシュ４８を発光させる（Ｓ６０４）。
【手続補正９】
【補正対象書類名】明細書
【補正対象項目名】００８０
【補正方法】変更
【補正の内容】
【００８０】
システム制御回路５０は、測光データに従って撮像素子１４の露光時間経過を待ち（Ｓ６０５）、シャッター１２を閉じ（Ｓ６０６）、露光を終了させる。そして、撮像素子１４から電荷信号を読み出し、Ａ／Ｄ変換器１６、画像処理回路２０、メモリ制御回路２２を介して、或いはＡ／Ｄ変換器１６から直接メモリ制御回路２２を介して、メモリ３０に撮影画像のデータを書き込む（Ｓ６０７）。メモリ３０への撮影画像データ書き込みが終了したら、撮影処理を終了する。
【手続補正１０】
【補正対象書類名】明細書
【補正対象項目名】０１４０
【補正方法】変更
【補正の内容】
【０１４０】
モードダイヤル６０が連写モード、ブラケットモードのいずれにも位置していない場合、システム制御回路５０は、内部メモリ或いはメモリ５２に記憶される連写フラグ、ブラケットフラグの両方をクリアし（Ｓ１３０５）、処理を終了する。
【手続補正１１】
【補正対象書類名】明細書
【補正対象項目名】０１４７
【補正方法】変更
【補正の内容】
【０１４７】
また、記憶した最後の撮影日時及びまたは記録媒体内の最終画像の撮影日時を、記録媒体の交換及びまたは新たな撮影発生時に更新するので、記録媒体内の検査及び、画像処理装置内への記憶作業が最低限の回数ですむ他、情報の不一致を防げる。
【手続補正１２】
【補正対象書類名】明細書
【補正対象項目名】０１８９
【補正方法】変更
【補正の内容】
【０１８９】
図２０は、本実施形態のデジタルカメラ１００が、図２のＳ１１３における設定表示処理として実行する処理の詳細を説明するフローチャートである。
まず、システム制御回路５０は、日時変化要因によるフォルダ作成が設定されているかを判断する（Ｓ２００１）。ここで、日時変化要因によるフォルダ作成が設定されている場合は（Ｓ２００１）、設定されている日時変化要因（すなわち、フォルダ作成条件）を表示部５４および画像表示部２８に表示し（Ｓ２００２）、Ｓ２００４に進む。
【手続補正１３】
【補正対象書類名】明細書
【補正対象項目名】０１９５
【補正方法】変更
【補正の内容】
【０１９５】
Ｓ２００７で、システム制御回路５０は、表示部５４を用い、画像や音声により、フォルダ作成表示以外のデジタルカメラ１００の各種設定状態を表示（表示更新）して設定表示処理を終了する。